(57)【特許請求の範囲】
【請求項１】
屋根面に保護ネットを張り詰めて、周囲を見切材で囲み、勾配方向と直交する方向に複数の渡り板を設置し、軒先部分に止面戸を設置して風による飛散を防止し、保護ネット上に薄型植生基盤シートを設置して下地とし、当該薄型植生基盤シートの上にセダムの茎葉を撒き、その上に数ミリ厚の覆土をして全体を植生ネットで覆い、その上から高分子樹脂の接合剤を全面に散布して全体を保護ネットで覆うことを特徴とする折板屋根緑化システム。
【請求項２】
アスファルトルーフィングに保水性と侵根性を有する３ミリ厚の不織布を貼り付け、この上に直径１センチ前後の軽石を任意間隔で貼り付けて、全体を水溶性不織布にて覆ったことを特徴とする請求項１に記載の折半屋根緑化システムに用いる薄型植生基盤シート。
【発明の詳細な説明】
【技術分野】
【０００１】
本発明は、山形部が所定間隔に連続して形成されている折板屋根の軽量緑化とメンテナンスに関するものである。
【背景技術】
【０００２】
近年、地球温暖化の抑制や、都市部でのヒートアイラド現象への対策として緑化の重要性が認識されつつあり、折板屋根等においても夏季や冬季の外気温を屋根から直接室内に伝えないようにし、エアコン等の電気料等を軽減する目的として折板屋根上を植物で覆う屋根緑化が知られる。これらの屋根緑化文献として例えば特許文献１のプランターによる緑化システムや緑化トレーによる緑化システムの特許文献２がある。
【先行技術文献】
【特許文献】
【０００３】
【特許文献１】特開２０１０−１８３８５３号公報
【特許文献２】特開２０１２−１３２３０９号公報
【発明の概要】
【発明が解決しようとする課題】
【０００４】
しかし、上記特許文献１は折板屋根面上に長尺のプランター保持具を設置し、これを介して複数のプランターを並設し、該プランター保持具の上端部の外面に給水管を形成したプランターによる緑化システムであり、特許文献２は折板屋根上に所定間隔で設置される支持部材と長尺のレール部材とを備え、複数の緑化トレーを配置しての緑化トレーを用いた緑化システムであるが、いずれも設置する補助部材の手間と費用が掛かることと上述した緑化システムの重量に一定厚の土壌重量を加算した重量で地震時に屋根の強度に支障が無いかという問題があった。
【０００５】
そこで本発明は、折板屋根上に軽量で飛散することがなく、施工性に優れ低コストで施工ができ、施工後のメンテナンス性にも優れている折板屋根の緑化システムの提供をすること。
【課題を解決するための手段】
【０００６】
上記の課題を解決するため、本発明の折板屋根緑化システムは、折板屋根上に３７．５ミリ目合のポリエチレン製保護ネットを張り詰め、周囲を見切材と止具にて、内側を棟金具等の止金具にて折板屋根の任意山部の複数箇所に固定して、屋根の勾配方向と直交する方向に複数本の渡り板を配置して、軒先方向下端の谷部に止面戸を取付け、ネット上に薄型植生基盤シートを敷設固定して折板屋根緑化の下地とする。
【０００７】
次に、上述の薄型植生基盤シートの上にセダム類の茎葉を撒き散らし、その上に混合土を数ミリ覆土して全体を１７ミリ目合のナイロンネットで覆い、その上から高分子樹脂の接合剤を全面に散布して最後に全体を３７．５ミリ目合のポリエチレン製保護ネットで被覆して薄型植生基盤シートが風で煽られることや飛散することのないように構成された折板屋根緑化システムの提供。
【発明の効果】
【０００８】
本発明の折板屋根緑化システムは、施工が容易な単純な構成と乾燥に強く少量の基盤土で生育するセダム類との組合せによる安価で、荷重負荷の軽減が図れる常緑緑化方法であり、強風で飛散することもなく、メンテナンス性に優れた折板屋根緑化システムである。
【０００９】
また、腐食しにくい材質で形成された折板屋根緑化システムは、耐久性の確保と平方メートル当り数キログラムの重さを実現したことにより、構築物への負荷荷重も抑えられ震動等に強く、外気温が屋根から直接室内に伝えることを長期に渡り防止でき、渡り板を形成したことによりメンテナンス性にも優れている。
【図面の簡単な説明】
【００１０】
【図１】折板屋根の緑化範囲に保護ネットを敷設した状態を示す斜視図である。
【図２】見切材と渡り板と止面戸を形成した説明図である。
【図３】薄型植生基盤シートの説明図である。
【図４】保護ネット上に薄型植生基盤シートを敷設した状態を示す斜視図である。
【図５】折板屋根緑化システムの完了説明図である。
【発明を実施するための形態】
【００１１】
以下、図面を参照して本発明の具体的な実施形態を詳述する。
【実施例】
【００１２】
図１は、折板屋根への軽量緑化を図る緑化システムの下地となる保護ネットを敷設した状態を示すものである。保護ネット２は腐食しにくく落石防止にも用いられているポリエチレン製で線径が４４０デシテックス、目合が３７．５ミリで縁廻りにポリエチレン製の縁ロープが形成された該保護ネットを折板屋根１の山部面上の緑化範囲に敷設する。
【００１３】
図２は、折板屋根面上の緑化範囲に敷設した保護ネットを張り詰め、縁廻りを折板屋根面の山部に剣先ボルトや棟金具等の止金具３と見切材４を用いて保護ネットの縁廻りを固定し、見切材で囲われた内側山部の任意箇所に止金具を用いて当該保護ネットを固定し、屋根の勾配方向と直交する方向に数メートル間隔で渡り板５を這わせ剣先ボルトや棟金具等の止金具３を用いて山部に固定する。この渡り板を配置したことにより緑化の施工時や保守作業時の通路として屋根面や植物を傷つけることもなく折板屋根での安全な作業が可能となる。なお、見切材や渡り板は、腐食しにくく加工が容易な樹脂材で形成されている。
【００１４】
保護ネットと渡り板が設置された屋根の勾配方向の見切材４で固定された保護ネット外側の折板屋根谷部に止面戸６を設置して、谷間部分から吹き込む風により保護ネット上に敷設される図３の薄型植生基盤シートが風で煽られることが無いように風の進入を防止する。
【００１５】
図３は、図２で張り詰めた保護ネット上に敷設される薄型植生基盤シートの説明図である。設置箇所に敷設される薄型植生基盤シート７が１枚の薄型植生基盤シートに形成されるように薄型植生基盤シートの下地となるアスファルトルーフィング７ａの左側縁と上側縁を各２ｃｍ前後の幅で糊代部分を開け、ここに両面テープが形成され、糊代部分を除いた部分に保水性と侵根性を有する３ミリ厚の不織布７ｂを貼り付け、この上に直径１センチ前後の保水が可能な軽石７ｃを任意間隔で貼り付けた保水型の植生基盤シートとし、作業時等に軽石の剥離防止を図る水溶性不織布７ｄにて全面を覆って薄型植生基盤シートとする。
【００１６】
この薄型植生基盤シートは、保水力を有しているが一般の草花は、生育が不可能であるが、乾燥に強いセダム類は試験結果から発根した根が不織布や軽石内に進入して順調に生育することが確認されたセダム専用の薄型植生基盤シートである。
【００１７】
図４は、図２で形成した見切材と渡り板部分を除いた保護ネット上に薄型植生基盤シートを敷設した状態を示すものである。薄型植生基盤シート７は、見切材と渡り板で囲まれた域面を隙間なく覆うために必要な枚数の薄型植生基盤シートを該薄型植生基盤シートの縁部に形成された両面テープで張り合わせて１枚の薄型植生基盤シートとし、縁廻りを見切材と渡り板にタッカー等の止具にて固定される。
【００１８】
図５は、折板屋根緑化システムの完了説明図である。まず、保護ネット上に敷設された前述の薄型植生基盤シート７の上にセダム８の茎葉を撒き散らし、この上に混合土９（良質土、化成肥料、有機肥料の混合）を数ミリ厚で覆土し、全体に散水後、セダムの飛散防止のために渡り板を含む緑化範囲の全面をナイロン製で目合が１７ミリの植生ネット１０で覆い、見切材と渡り板にタッカー等の止具にて該植生ネットを固定し、当該ネットの上からセダムや混合土が風等にて飛散しないように植生用接着剤の高分子樹脂を全面に散布する。
【００１９】
高分子樹脂を散布後、緑化範囲の全面に図１で張り詰めたポリエチレン製で線径が４４０デシテックス、目合が３７．５ミリで縁廻りにポリエチレン製の縁ロープが形成された保護ネット２を張り詰め、見切材や渡り板にタッカー等の止具にて固定して、薄型植生基盤シートが風で煽られ、飛散することが無いように折板屋根面上に構成された折板屋根への緑化システムである。
【００２０】
折板屋根面上に形成された緑化システムは、屋根面を覆うことにより屋根の温度変化を抑制することができ光熱費の低減が図れ、屋根の老化からの保護をすることができるほかに今迄緑化装置の設置が困難な既存の屋根やスレートの屋根にも設置することができる緑化システムである。
【００２１】
また、屋根緑化システムは軽量な資材で構成されているので屋根への負荷がほとんど無く震動にも強く、渡り板が形成されたことにより容易に歩行することが可能となり、施工やメンテナンスの向上が図れる緑化システムである。
【産業上の利用可能性】
【００２２】
折板屋根緑化システムは、低コストで簡単に施工が行える軽量緑化システムで、破損や腐蝕がしにくく、屋根からの外気温を遮断してエアコン等の電気料の軽減や景観形成が図られ、メンテナンス性にも優れている屋根緑化システムはこれから大いに利用される可能性の高いものである。
【符号の説明】
【００２３】
１    折板屋根
２    保護ネット
３    止金具
４    見切材
５    渡り板
６    止面戸
７    薄型植生基盤シート
７ａ  アスファルトルーフィング
７ｂ  不織布
７ｃ  軽石
７ｄ  水溶性不織布
８    セダム
９    混合土
１０    植生ネット
【要約】
【課題】屋根上に軽量で飛散することがなく、施工性に優れ、低コストで施工ができ、メンテナンス性にも優れている折板屋根緑化システムの提供。
【解決手段】折板屋根面上に保護ネットを張り詰め周囲を見切材で固定し、勾配方向と直交する方向に複数の渡り板と軒先部分に止面戸を設置し、保護ネット上に薄型植生基盤シートを設置して下地とする。当該薄型植生基盤シートの上にセダムの茎葉を撒き、その上に数ミリ厚の覆土をして全体を植生ネットで覆い、その上から高分子樹脂の接合剤を全面に散布して全体を保護ネットで覆う構成で形成する折板屋根緑化システム。
【選択図】図３【図１】
0005436651.tif 000002
【図２】
0005436651.tif 000003
【図３】
0005436651.tif 000004
【図４】
0005436651.tif 000005
【図５】
0005436651.tif 000006